(57)【特許請求の範囲】
【請求項１】
メッセージ等を表示する液晶表示パネルと、該液晶表示パネルに近接配置され電波を受信するアンテナを有する液晶表示付き無線受信機において、
前記液晶表示パネルの駆動制御用の配線パターンの中で前記アンテナに近接する配線パターンを、前記アンテナに最も近接して表示されるキャラクタの表示位置近傍まで前記アンテナから遠ざけ、かつ前記キャラクタ間の前記配線パターンから前記アンテナと平行方向の不要部分を削ぎ取った形状となる至近配線パターンを備えたことを特徴とする液晶表示付き無線受信機。
【請求項２】
前記至近配線パターンは、キャラクタ間隔に沿ってジグザグ形状に形成したことを特徴とする請求項１記載の液晶表示付き無線受信機。
【請求項３】
前記液晶表示パネルの液晶駆動用信号を生成する駆動手段を実装し、前記液晶駆動用信号の配線パターンを、最低間隔の配線ピッチでアンテナから遠ざけ、かつジグザグ配線として前記アンテナと平行方向の不要部分を減らした形状とし、前記アンテナと近接配置されるＴＣＰユニットを備えたことを特徴とする請求項１記載の液晶表示付き無線受信機。
【請求項４】
前記液晶表示パネルのバックライトとして使用され、前記バックライトの発光駆動用の配線パターンを、最低間隔の配線ピッチでアンテナから遠ざけ、かつジグザグ配線として前記アンテナと平行方向の不要部分を減らした形状とし、前記アンテナと近接配置されるＥＬパネルを備えたことを特徴とする請求項１記載の液晶表示付き無線受信機。
【発明の詳細な説明】
【０００１】
【発明の属する技術分野】
本発明は、ページャー等に用いられる液晶表示付き無線受信機に関するものである。
【０００２】
【従来の技術】
ページャー等に用いられる液晶表示付き無線受信機は、携帯性向上のために小型化，軽量化が進んでいるが、一方では、メッセージをより見やすく表示するために表示部を大きくしたいという要求がある。そして表示デバイスには、低コスト，低消費電力であることから液晶表示素子が利用されるのが一般的である。
【０００３】
図５は従来の液晶表示付き無線受信機であるページャーの内部基本構造を示す図で、メッセージ等を表示する液晶表示パネル１は、液晶表示の制御をつかさどる液晶駆動用ＩＣ２を実装したＴＣＰ（テープ・キャリア・パッケージ）ユニット３と、そのＴＣＰユニット３と液晶表示パネル１を電気的に接続するヒートシール４で結線されており、ホルダー５で固定されている。液晶駆動用ＩＣ２より発生した液晶駆動信号はヒートシール４を経て液晶表示パネル１に伝えられ、液晶表示パネル１に各種表示がなされる。また、基板６には無線信号を受信するアンテナ７と、アンテナ７から受信した無線周波数信号を増幅，復調するＲＦ回路部８と、ＲＦ回路部８で復調された信号内容により各種制御を行う制御部９が実装されている。
【０００４】
次に、液晶表示パネルの従来の配線例の概略を図６に示す。アンテナ至近キャラクタ１０（例えば図６に示す、“Ａ，Ｂ，Ｃ，Ｄ，Ｅ，Ｆ，Ｇ，Ｈ”）は液晶表示パネル１に表示されるキャラクタの中のアンテナ７に最も近接して表示されるキャラクタであり、至近配線パターン１１はその表示キャラクタの液晶部分を駆動制御するための配線パターンである。配線パターン（至近配線パターン１１を含む）には一般的に導電性の物質が使用される。さらに液晶表示パネル１の視認性を高めるためのバックライト付きの場合などは、前記図５に示す液晶表示パネル１とＴＣＰユニット３の間にＥＬ（エレクトロ・ルミネッセンス）パネル（図示せず）等の発光板が装着される。
【０００５】
【発明が解決しようとする課題】
しかしながら、このように構成される液晶表示付き無線受信機は、液晶表示パネルの配線パターンにおいては、配線ラインが目立たないようにその周囲のシールエリア近傍まで配線パターンをベタ配線するのが一般的である。このような液晶表示パネルがアンテナに近接して配置された場合、配線パターンを形成する導電性物質によるアンテナと平行方向となる部分に発生する磁界成分により、アンテナの性能が劣化する。この導電性物質がアンテナに近接した場合、特にアンテナと平行となる部分に発生する磁界成分がアンテナ性能を劣化させることは一般的によく知られた事実であるためここでは詳細の説明を省く。また、基板上に実装された制御部やＴＣＰユニットに実装された液晶駆動用ＩＣで発生したノイズが液晶表示パネルの配線に飛込み、そのノイズの磁界成分が近接する配線パターンよりアンテナに影響を及ぼすことで、さらに無線性能を劣化させる。そのため、従来の技術では、液晶表示パネルとアンテナとの間の距離を一定間隔あける必要があり、受信機の小型化もしくは液晶表示パネルの大型化の制約となるという問題があった。
【０００６】
本発明は、前記従来技術の問題点を解決することに指向するものであり、液晶表示パネルに電波を受信するアンテナが近接して配置される場合、液晶表示パネルの表示キャラクタの中でアンテナにもっと近接したキャラクタの液晶駆動用配線パターンをその表示キャラクタ位置の近傍までアンテナから遠ざけ、かつキャラクタ間のアンテナとの平行方向となる不要部分を削ぎ取って減らした形状としたもので、液晶表示パネルとアンテナが近接配置されてもアンテナの性能劣化を防止する液晶表示付き無線受信機を提供することを目的とする。
【０００７】
【課題を解決するための手段】
この目的を達成するために、本発明に係る液晶表示付き無線受信機は、メッセージ等を表示する液晶表示パネルと、液晶表示パネルに近接配置され電波を受信するアンテナを有する液晶表示付き無線受信機において、
液晶表示パネルの駆動制御用の配線パターンの中でアンテナに近接する配線パターンを、アンテナに最も近接して表示されるキャラクタの表示位置近傍までアンテナから遠ざけ、かつキャラクタ間の配線パターンからアンテナと平行方向の不要部分を削ぎ取った形状となる至近配線パターンを備えたことを特徴とする。
【０００８】
また、至近配線パターンは、キャラクタ間隔に沿ってジグザグ形状に形成したことを特徴とする。
【０００９】
また、液晶表示パネルの液晶駆動用信号を生成する駆動手段を実装し、液晶駆動用信号の配線パターンを、最低間隔の配線ピッチでアンテナから遠ざけ、かつジグザグ配線としてアンテナと平行方向の不要部分を減らした形状とし、アンテナと近接配置されるＴＣＰユニットを備えたことを特徴とする。
【００１０】
また、液晶表示パネルのバックライトとして使用され、バックライトの発光駆動用の配線パターンを、最低間隔の配線ピッチでアンテナから遠ざけ、かつジグザグ配線としてアンテナと平行方向の不要部分を減らした形状とし、アンテナと近接配置されるＥＬパネルを備えるように構成したものである。
【００１１】
前記構成によれば、アンテナに液晶表示パネルが近接配置されても、液晶表示パネルの配線パターンとアンテナの平行方向の不要部分をなくしたことで、アンテナの性能劣化を防止できる。また、基板上に実装された制御部やＴＣＰユニットに実装された液晶駆動手段で発生したノイズが液晶表示パネルの配線に飛び込んでも、そのノイズの磁界成分がアンテナに影響しにくくでき、さらに、ＴＣＰユニットやＥＬパネルの配線パターンも同様に構成することで無線性能の劣化を防止することができる。
【００１２】
【発明の実施の形態】
以下、図面を参照して本発明における実施の形態を詳細に説明する。
図１は本発明の実施の形態１における液晶表示付き無線受信機であるページャーの内部基本構造を示す図である。ここで、前記従来例を示す図３において説明した構成部材に対応し実質的に同等の機能を有するものには同一の符号を付してこれを示す。図１において、２は液晶駆動用信号を生成する駆動手段である液晶駆動用ＩＣ、３はＴＣＰユニット、４はヒートシール、５はホルダー、６は基板、７はアンテナ、８はＲＦ回路部、９は制御部、１５は液晶表示パネルである。
【００１３】
この液晶表示パネル１５は、液晶表示を制御する液晶駆動用ＩＣ２を実装したＴＣＰユニット３と電気的に接続するヒートシール４で結線され、ホルダー５で固定されている。液晶駆動用ＩＣ２からの液晶駆動信号は、ヒートシール４を経て液晶表示パネル１５に伝えられ各種表示がなされる。さらに基板６には、無線信号を受信するアンテナ７、受信した無線周波数信号を増幅，復調するＲＦ回路部８、およびＲＦ回路部８で復調された信号内容により各種制御を行う制御部９が実装されている。
【００１４】
また、図２は本発明の実施の形態１における液晶表示パネルの配線例の概略を示す図で、ここでも、前記従来例を説明した図６に示す構成部材と対応するものには同一の符号を付す。図２において、７はアンテナ、１０はアンテナ至近キャラクタ、１５は液晶表示パネル、１６はアンテナ至近キャラクタ１０（Ａ，Ｂ，Ｃ，Ｄ，Ｅ，Ｆ，Ｇ，Ｈ）の配線パターンをその表示する位置近傍までアンテナ７から遠ざけ、かつアンテナ至近キャラクタ１０（Ａ，Ｂ，Ｃ，Ｄ，Ｅ，Ｆ，Ｇ，Ｈ）間にベタ配線された配線パターンからアンテナ７と平行方向となる不要部分を削ぎ取った形状とした至近配線パターンである。このように導電性物質を一般的に使用する配線パターンにおいて、特にアンテナ７近傍に配置される配線パターンを至近配線パターン１６とすることにより、アンテナ７への影響を軽減しその性能が劣化することを抑えることができる。
【００１５】
つまり、液晶表示パネル１５が電波を受信するアンテナ７と近接し配置される液晶表示付き無線受信機において、アンテナ至近キャラクタ１０の駆動制御用の至近配線パターン１６をアンテナ至近キャラクタ１０に近接配置しアンテナ７との距離を可能な限り遠ざけ、かつアンテナ至近キャラクタ１０の個々のキャラクタ間のベタ配線の不要部分を削ぎ取り、アンテナ７と平行方向となる部分が少なくなるように形成することで、配線パターン（特に、至近配線パターン１６）によるアンテナへの影響を軽減し、その特性劣化を抑えるものである。
【００１６】
さらに、液晶表示付き無線受信機の稼働中には、液晶駆動用ＩＣ２，制御部９より発生するノイズが液晶表示パネル１５上の配線パターンに飛び込んでも、至近配線パターン１６がアンテナ７からの距離が遠いことと至近配線パターン１６においてアンテナ７と平行方向となる部分を少なくすることによって、アンテナ７がノイズによる磁界成分の影響を受けにくくでき、その無線性能が向上する。
【００１７】
以上のような本実施の形態１で説明した至近配線パターン１６を用いた液晶表示付き無線受信機によれば、前記従来例との比較実験においてアンテナ７の単体性能におけるゲイン特性は０．５ｄＢ程度、液晶駆動用ＩＣ２や制御部９が動作している状態での無線受信感度は約１．５ｄＢ程度向上しているという結果が得られている。また、前記説明したような至近配線パターン１６の形状において、アンテナ至近キャラクタ１０の配置に沿ってジグザグ形状となるように形成した場合においても同様の結果が得られる。例えば、図３，図４に示すように、液晶表示パネル１５とアンテナ７との位置、至近配線パターン１６のベタ配線のアンテナ７との平行方向の不要部分の削ぎ取り、至近配線パターン１６のジグザグ形状は任意に変更可能である。
【００１８】
次に、本発明における実施の形態２について、前記図１，図２を用いてその動作を説明する。本実施の形態２は前記実施の形態１で説明した液晶表示付き無線受信機に、その表示を駆動制御する駆動制御信号を生成する液晶駆動用ＩＣ２を実装したＴＣＰユニット３、および液晶表示の視認性を高めるための液晶表示パネル１５のバックライトとして、ＴＣＰユニット３と液晶表示パネル１５との間に実装されるＥＬパネル（図示せず）を備える。そのＴＣＰユニット３，ＥＬパネルにおける各配線パターンについても、液晶表示パネル１５と同様な形状の至近配線パターン１６を構成したものである。これにより、前記実施の形態１で説明した液晶表示パネル１５と同様にＴＣＰユニット３，ＥＬパネルの各配線パターンによるアンテナ７に対する影響を軽減し、無線特性を向上させることができる。
【００１９】
なお、前記実施の形態で説明した液晶表示パネルに表示される各キャラクタ形状は、Ａ，Ｂ，Ｃ，Ｄ，Ｅ，Ｆ，Ｇ，Ｈを例としたが、本発明はこれに限定されるものではなく、液晶表示パネル上に表示されるあらゆるキャラクタ形状にも変更可能である。さらに、本実施の形態の説明では液晶表示付き無線受信機としてページャーを例として用いたが、他の液晶表示付きの無線による情報の受信を行う携帯機器等にも適用可能である。
【００２０】
【発明の効果】
以上説明したように、本発明によれば、液晶表示パネルに電波を受信するアンテナが近接して配置される液晶表示付き無線受信機において、液晶表示パネルの表示キャラクタの駆動制御信号の配線パターンの中でアンテナに最も近接した至近配線パターンをアンテナ至近キャラクタ近傍まで遠ざけ、かつアンテナ至近キャラクタ間のアンテナと平行方向となる至近配線パターンの不要部分を減らした形状にすることで、アンテナと液晶表示パネルが近接配置されても、液晶表示パネルの配線パターン（特に、至近配線パターン）からの影響を軽減でき、アンテナの性能を向上させると共に、基板上に実装された制御部やＴＣＰユニットに実装された液晶駆動用ＩＣから発生したノイズが液晶表示パネルの配線パターンに飛び込んでも、そのノイズによる磁界成分からアンテナへの悪影響を低減することができ、無線性能を向上するという効果を得る。また、液晶駆動用ＩＣを実装したＴＣＰユニットやバックライトとして用いられるＥＬパネルの配線パターンも同様な構成とすることにより、さらにアンテナへの影響を低減でき無線性能を向上することができる。よって、液晶表示パネルとアンテナをより近接配置することができ、機器の小型化や液晶表示パネルの大型化が可能になるという効果を奏する。
【図面の簡単な説明】
【図１】本発明の実施の形態１における液晶表示付き無線受信機であるページャーの内部基本構造を示す図である。
【図２】本発明の実施の形態１における液晶表示パネルの配線例の概略を示す図である。
【図３】液晶表示パネルの至近配線パターンの一例を示す図である。
【図４】液晶表示パネルの至近配線パターンの他の例を示す図である。
【図５】従来の液晶表示付き無線受信機であるページャーの内部基本構造を示す図である。
【図６】従来の液晶表示パネルの配線例の概略を示す図である。
【符号の説明】
１，１５…液晶表示パネル、  ２…液晶駆動用ＩＣ、  ３…ＴＣＰユニット、  ４…ヒートシール、  ５…ホルダー、  ６…基板、  ７…アンテナ、  ８…ＲＦ回路部、  ９…制御部、  １０…アンテナ至近キャラクタ、  １１，１６…至近配線パターン。
【図１】
0003582626.tif 000002
【図２】
0003582626.tif 000003
【図３】
0003582626.tif 000004
【図４】
0003582626.tif 000005
【図５】
0003582626.tif 000006
【図６】
0003582626.tif 000007